(57)【特許請求の範囲】
【請求項１】
送受信状態を切り換えて通話する単信式の通話機能を有した携帯型通話機本体との間で接続可能な近距離無線通信ユニットと、
前記携帯型通話機本体の送受信状態を切り換えるＰＴＴ信号を出力するＰＴＴスイッチと、
該ＰＴＴ信号を前記近距離無線通信ユニットより携帯型通話機本体に送信するＰＴＴ信号送信処理手段と、
前記携帯型通話機本体との間で、前記近距離無線通信ユニットを通じて音声データを送受信する第１の音声データ送受信処理手段と、
近距離無線通信ユニットを通じて接続されるスピーカ・マイク端末との間で、音声データを送受信する第２の音声データ送受信処理手段と、
を備え、前記携帯型通話機本体との間、及び前記スピーカ・マイク端末との間でそれぞれ近距離無線通信ユニットを介して通信接続することにより、前記ＰＴＴ信号の出力・送信とともに、前記携帯型通話機本体と前記スピーカ・マイク端末との間の単信式の通話の音声データのやりとりを中継することを特徴とするハンズフリー通話システムのＰＴＴリモコン装置。
【請求項２】
前記携帯型通話機本体が、単信式の通話機能と複信式の通話機能を兼ね備えた携帯電話であり、該携帯型通話機本体の通話方式を単信式から複信式へ切り換える方式切り換え信号を出力する通話スイッチと、該方式切り換え信号を前記近距離無線通信ユニットより携帯型通話機本体に送信する方式切り換え信号送信処理手段とを更に備えてなる請求項１記載のＰＴＴリモコン装置。
【請求項３】
前記ＰＴＴスイッチが前記通話スイッチを兼ねている請求項２記載のＰＴＴリモコン装置。
【請求項４】
前記スピーカ・マイク端末を装着している操作者の体に取り付けるための取付手段を備えてなる請求項１〜３の何れか１項に記載のＰＴＴリモコン装置。
【請求項５】
送受信状態を切り換えて通話する単信式の通話機能を有した携帯型通話機本体と、該携帯型通話機本体と近距離無線通信可能なＰＴＴリモコン装置と、該ＰＴＴリモコン装置と近距離無線通信ユニットを通じて接続されるスピーカ・マイク端末とを備えてなるハンズフリー通話システムであって、
前記ＰＴＴリモコン装置は、
前記携帯型通話機本体との間で接続可能な近距離無線通信ユニットと、
前記携帯型通話機本体の送受信状態を切り換えるＰＴＴ信号を出力するＰＴＴスイッチと、
該ＰＴＴ信号を前記近距離無線通信ユニットより携帯型通話機本体に送信するＰＴＴ信号送信処理手段と、
携帯型通話機本体との間で、前記近距離無線通信ユニットを通じて音声データを送受信する第１の音声データ送受信処理手段と、
前記スピーカ・マイク端末との間で、音声データを送受信する第２の音声データ送受信処理手段とを備え、
前記ＰＴＴリモコン装置が、前記携帯型通話機本体との間、及び前記スピーカ・マイク端末との間でそれぞれ近距離無線通信ユニットを介して通信接続することにより、前記ＰＴＴ信号の出力・送信とともに、前記携帯型通話機本体と前記スピーカ・マイク端末との間の単信式の通話の音声データのやりとりを中継することを特徴とするハンズフリー通話システム。
【請求項６】
前記携帯型通話機本体が、単信式の通話機能と複信式の通話機能を兼ね備えた携帯電話であり、前記ＰＴＴリモコン装置は、前記携帯型通話機本体の通話方式を単信式から複信式へ切り換える方式切り換え信号を出力する通話スイッチと、該方式切り換え信号を前記近距離無線通信ユニットより携帯型通話機本体に送信する方式切り換え信号送信処理手段とを更に備えてなる請求項５記載のハンズフリー通話システム。
【請求項７】
前記ＰＴＴスイッチが前記通話スイッチを兼ねている請求項６記載のハンズフリー通話システム。
【請求項８】
前記スピーカ・マイク端末が、前記携帯型通話機本体及びＰＴＴリモコン装置との間でそれぞれ接続可能な近距離無線通信ユニットと、前記携帯型通話機本体が複信式の通話状態において前記ＰＴＴリモコン装置を介さず直接、前記携帯型通話機本体との間で音声データを送受信する音声データ送受信処理手段とを備えてなる請求項６又は７記載のハンズフリー通話システム。
【請求項９】
前記スピーカ・マイク端末が、少なくとも骨伝導スピーカを備えた骨伝導スピーカ・マイク端末である請求項５〜８の何れか１項に記載のハンズフリー通話システム。
【請求項１０】
前記スピーカ・マイク端末が、骨伝導スピーカと骨伝導マイクを備えた骨伝導スピーカ・マイク端末である請求項５〜８の何れか１項に記載のハンズフリー通話システム。
【請求項１１】
送受信状態を切り換えて通話する単信式の通話機能を有した携帯型通話機本体と、該携帯型通話機本体と近距離無線通信可能なＰＴＴリモコン装置と、該ＰＴＴリモコン装置と近距離無線通信ユニットを通じて接続されるスピーカ・マイク端末とよりなるハンズフリー通話方法であって、
前記ＰＴＴリモコン装置が、
前記携帯型通話機本体との間で接続可能な近距離無線通信ユニットと、
前記携帯型通話機本体の送受信状態を切り換えるＰＴＴ信号を出力するＰＴＴスイッチと、
該ＰＴＴ信号を前記近距離無線通信ユニットより携帯型通話機本体に送信するＰＴＴ信号送信処理手段と、
携帯型通話機本体との間で、前記近距離無線通信ユニットを通じて音声データを送受信する第１の音声データ送受信処理手段と、
前記スピーカ・マイク端末との間で、音声データを送受信する第２の音声データ送受信処理手段とを備えており、
前記ＰＴＴリモコン装置が、前記携帯型通話機本体との間、及び前記スピーカ・マイク端末との間でそれぞれ近距離無線通信ユニットを介して通信接続した状態で、前記ＰＴＴ信号の出力・送信を行い、前記携帯型通話機本体と前記スピーカ・マイク端末との間の単信式の通話の音声データのやりとりを中継することを特徴とするハンズフリー通話方法。
【発明の詳細な説明】
【技術分野】
【０００１】
本発明は、単信式の通話機能を備える携帯型通話機のハンズフリー通話システムに関する。
【背景技術】
【０００２】
単信式の通話機能を備える携帯型通話機は、送受信状態を切り換えるＰＴＴ（Push To Talk）信号を出力するＰＴＴスイッチ（ＰＴＴボタン）を有し、操作者は発話する際、このＰＴＴボタンを押して、受信待機状態から送信状態に切換えた上で話始めることとなる。ところで、産業現場、運送業、警察、警護などの特殊職業でこのような携帯型通話機を用いる際、操作者がハンズフリーで通話を行うために、ヘッドセットを使用し、携帯型通話機本体は腰などに固定し、ＰＴＴボタンをヘッドセットと携帯型通話機本体を接続するケーブル上に設けて操作するものが広く用いられている。
【０００３】
また、このようなハンズフリー通話システムでは、ＰＴＴボタンは操作者の胸やベルトのあたりに取り付けられるが、ケーブル途中の一定箇所に設けられているため、必ずしもＰＴＴボタンを操作しやすい箇所に取り付けることができず、操作が不便となる場合もあった。これに対して、携帯型通話機本体に接続するヘッドセットのプラグからＰＴＴスイッチの信号のみ取り出せるジャックを設けるとともに、ＰＴＴスイッチのみを接続したプラグを設け、これによりヘッドセットのケーブルの位置に係わりなくＰＴＴボタンを好みの場所に取り付けることを可能としたシステムが提案されている（特許文献１参照）。
【０００４】
しかし、このようなシステムでは携帯型通話機本体からヘッドセット用のケーブルと、ＰＴＴボタン用のケーブルの２本が引き出されることとなる。このようなケーブルの存在は、作業の邪魔になったり、ケーブル断線による故障、腕や体に絡まることで作業が危険になるといった問題があり、このような問題の影響を少なくするためにはケーブルが邪魔にならないよう携帯型通話機本体ＰＴＴボタンの近くに位置させる必要があった。
【０００５】
【特許文献１】特開平９−１７２６９７号公報
【発明の開示】
【発明が解決しようとする課題】
【０００６】
そこで、本発明が前述の状況に鑑み、解決しようとするところは、ケーブルが作業の邪魔になったり、ケーブル断線による故障、作業の危険性などといった問題を解消し、利便性の向上、故障や事故の予防を図ることができる単信式通話機能付き携帯型通話機のハンズフリー通話システムを提供する点にある。
【課題を解決するための手段】
【０００７】
本発明は、前述の課題解決のために、送受信状態を切り換えて通話する単信式の通話機能を有した携帯型通話機本体との間で接続可能な近距離無線通信ユニットと、前記携帯型通話機本体の送受信状態を切り換えるＰＴＴ信号を出力するＰＴＴスイッチと、該ＰＴＴ信号を前記近距離無線通信ユニットより携帯型通話機本体に送信するＰＴＴ信号送信処理手段とを備えたことを特徴とするハンズフリー通話システムのＰＴＴリモコン装置を構成した。
【０００８】
ここで、前記携帯型通話機本体との間で、前記近距離無線通信ユニットを通じて音声データを送受信する第１の音声データ送受信処理手段と、ケーブル又は近距離無線通信ユニットを通じて接続されるスピーカ・マイク端末との間で、音声データを送受信する第２の音声データ送受信処理手段とを更に備えたものが好ましい。
【０００９】
また、前記携帯型通話機本体が、単信式の通話機能と複信式の通話機能を兼ね備えた携帯電話であり、該携帯型通話機本体の通話方式を単信式から複信式へ切り換える方式切り換え信号を出力する通話スイッチと、該方式切り換え信号を前記近距離無線通信ユニットより携帯型通話機本体に送信する方式切り換え信号送信処理手段とを更に備えたものが好ましく、この場合、前記ＰＴＴスイッチが前記通話スイッチを兼ねていることがより好ましい。
【００１０】
さらに、前記スピーカ・マイク端末を装着している操作者の体に取り付けるための取付手段を備えたものが好ましい。
【００１１】
また本発明は、送受信状態を切り換えて通話する単信式の通話機能を有した携帯型通話機本体と、該携帯型通話機本体と近距離無線通信可能なＰＴＴリモコン装置と、該ＰＴＴリモコン装置とケーブル又は近距離無線通信ユニットを通じて接続されるスピーカ・マイク端末とを備えてなるハンズフリー通話システムであって、前記ＰＴＴリモコン装置は、前記携帯型通話機本体との間で接続可能な近距離無線通信ユニットと、前記携帯型通話機本体の送受信状態を切り換えるＰＴＴ信号を出力するＰＴＴスイッチと、該ＰＴＴ信号を前記近距離無線通信ユニットより携帯型通話機本体に送信するＰＴＴ信号送信処理手段とを備えて構成されていることを特徴とするハンズフリー通話システムをも提供する。
【００１２】
ここで、前記ＰＴＴリモコン装置が、携帯型通話機本体との間で、前記近距離無線通信ユニットを通じて音声データを送受信する第１の音声データ送受信処理手段と、前記スピーカ・マイク端末との間で、音声データを送受信する第２の音声データ送受信処理手段とを備えてなるものが好ましい。
【００１３】
さらに、前記携帯型通話機本体が、単信式の通話機能と複信式の通話機能を兼ね備えた携帯電話であり、前記ＰＴＴリモコン装置は、前記携帯型通話機本体の通話方式を単信式から複信式へ切り換える方式切り換え信号を出力する通話スイッチと、該方式切り換え信号を前記近距離無線通信ユニットより携帯型通話機本体に送信する方式切り換え信号送信処理手段とを更に備えるものが好ましく、とくに前記ＰＴＴスイッチが前記通話スイッチを兼ねているものが好ましい。
【００１４】
このような通話スイッチを備えたシステムの場合、前記スピーカ・マイク端末が、前記携帯型通話機本体及びＰＴＴリモコン装置との間でそれぞれ接続可能な近距離無線通信ユニットと、前記携帯型通話機本体が複信式の通話状態において前記ＰＴＴリモコン装置を介さず直接、前記携帯型通話機本体との間で音声データを送受信する音声データ送受信処理手段とを備えるものが好ましい実施例である。
【００１５】
前記スピーカ・マイク端末が、少なくとも骨伝導スピーカを備えた骨伝導スピーカ・マイク端末、特に、骨伝導スピーカと骨伝導マイクを備えた骨伝導スピーカ・マイク端末であることが好ましい。
【発明の効果】
【００１６】
以上にしてなる本願発明によれば、ＰＴＴリモコン装置から近距離無線通信ユニットを介してＰＴＴ信号を携帯型通話機本体に送信することができるため、ＰＴＴボタンを操作し易い適宜な箇所に取り付けることが可能となり、利便性が向上するとともに、作業の邪魔になり故障や事故の原因となるケーブルも存在せず、作業性の向上、及び故障・事故の予防を図ることができる。
【００１７】
また、携帯型通話機本体が、単信式の通話機能と複信式の通話機能を兼ね備えた携帯電話の場合、ＰＴＴリモコン装置に、携帯型通話機本体の通話方式を単信式から複信式へ切り換える方式切り換え信号を出力する通話スイッチと、該方式切り換え信号を近距離無線通信ユニットより携帯型通話機本体に送信する方式切り換え信号送信処理手段とを備えたので、ＰＴＴリモコン装置を操作するだけで、単信式の通話中に複信式の通話に切り換えることができ、利便性がさらに向上する。
【００１８】
また、スピーカ・マイク端末が、少なくとも骨伝導スピーカを備えた骨伝導スピーカ・マイク端末であるので、騒音が大きい状況や周りの音を耳で聴く必要のある状況において、骨伝導のスピーカやマイクにより、確実に通話することが可能となる。
【発明を実施するための最良の形態】
【００１９】
次に、本発明の実施形態を添付図面に基づき詳細に説明する。
【００２０】
図１は、本発明に係るハンズフリー通話システムＳの全体構成を示す図であり、図１〜５は第１実施形態、図６〜８は第２実施形態を示し、図中符号１（１Ａ）は携帯型通話機本体、２はＰＴＴリモコン装置、３はスピーカ・マイク端末をそれぞれ示している。
【００２１】
本発明のハンズフリー通話システムＳは、図１に示すように、送受信状態を切り換えて通話する単信式の通話機能を有した携帯型通話機本体１と、該携帯型通話機本体１と近距離無線通信可能であり、ＰＴＴボタン２１を押下することで送受信状態を切り換えるＰＴＴ信号を携帯型通話機本体１に送信するＰＴＴリモコン装置２と、該ＰＴＴリモコン装置２とケーブル又は近距離無線通信ユニットを通じて接続されるスピーカ・マイク端末３とを備えており、これにより図５に示すように、携帯型通話機本体１を例えばポケットや鞄の中に仕舞ったままでＰＴＴリモコン装置２を体の適宜な箇所に取り付け、ＰＴＴボタン操作を行なうことでケーブルが邪魔になることなく通話を行うことを可能としたものである。
【００２２】
なお、携帯型通話機本体１は、従来から公知のポータブル無線機やトランシーバー以外に、ＰＴＴ機能を備えたものであれば、携帯電話やＰＨＳ（Personal Handyphone System：簡易型携帯電話）、ＰＤＡ（Personal Digital Assistant：携帯情報端末）、ノートパソコン、ディジタルカメラなど、種々のモバイル端末を利用できる。スピーカ・マイク端末３は、ヘッドセットタイプ、耳掛けタイプ、イヤホンタイプ、ヘルメット内蔵タイプなど種々のタイプのものを採用でき、本例ではヘッドセット、とくに骨伝導マイク３１と骨伝導スピーカ３２を備えるヘッドセットを用いた例を挙げている。
【００２３】
また、携帯型通話機本体１、ＰＴＴリモコン装置２及びスピーカ・マイク端末３の間の近距離無線通信に用いるユニットについては、搬送波周波数に免許不要の２．４ＧＨｚのＩＳＭ（Industrial Scientific Medical）帯を使用したものが好ましく、以下の実施形態では低コストであるＢｌｕｅｔｏｏｔｈ（登録商標）無線ユニットを用いた例を挙げているが、これに限らず、例えば「ＩｒＤＡ」方式の赤外線データ通信モジュールを設けたものなど、使用状況に応じて種々の方式を採用できる。
【００２４】
まず、図１〜５に基づき本発明の第１実施形態を説明する。
【００２５】
携帯型通話機本体１は、従来から公知のトランシーバーの構成であり、図２に示すように、アンテナ１０、送受信切換スイッチ１１、無線通信回路１２、制御部１３、本体側のＰＴＴスイッチ（ＰＴＴボタン１４）、および本体側のスピーカ／マイク１５を備え、本例では、近距離無線通信ユニットとしてＢｌｕｅｔｏｏｔｈ無線ユニット１６が外付けで接続されている。このＢｌｕｅｔｏｏｔｈ無線ユニット１６は、具体的には外部からプラグを介してケーブル接続されるＢｌｕｅｔｏｏｔｈアダプタ１７に設けられているが、第２実施形態にも示すように携帯型通話機本体１に内蔵してもよいことは勿論である。
【００２６】
制御部１３は、メモリに記憶したプログラムで各種処理を行なうマイコンよりなり、ＰＴＴ信号を受けて送受信の切換えを行う送受信切換処理部１３ａと、無線通信回路より受信した音声信号をスピーカ／マイク１５のスピーカに出力し、スピーカ／マイク１５のマイクより受信した音声信号を無線通信回路１２に出力する音声処理部１３ｂとを少なくとも備えている。
【００２７】
ＰＴＴリモコン装置２は、図３に示すように、携帯型通話機本体１との間で接続可能なｂｌｕｅｔｏｏｔｈ無線ユニット２０、携帯型通話機本体１の送受信状態を切り換えるＰＴＴ信号を出力するＰＴＴスイッチ（ＰＴＴボタン２１）および制御部２２を備え、制御部２２は同じくメモリに記憶したプログラムで各種処理を行なうマイコンよりなり、ＰＴＴボタン２１の操作により出力されたＰＴＴ信号をＢｌｕｅｔｏｏｔｈ無線ユニット２０より携帯型通話機本体１に無線送信するＰＴＴ信号送信処理部２２ａと、携帯型通話機本体１との間で、同じくＢｌｕｅｔｏｏｔｈ無線ユニット２０を通じて音声データを送受信する第１の音声処理部２２ｂと、スピーカ・マイク端末３との間で、音声データを送受信する第２の音声処理部２２ｃとを少なくとも備えている。ＰＴＴリモコン装置２のＢｌｕｅｔｏｏｔｈ無線ユニット２０と携帯型通話機本体１のＢｌｕｅｔｏｏｔｈ無線ユニット１６とは使用前に予めプロファイル又はプロファイルよりも確実なシリアルナンバーによりペアリングされる。
【００２８】
そして、ＰＴＴリモコン装置２でＰＴＴボタン２１を押すと、ＰＴＴ信号送信処理部２２ａによりＰＴＴ信号がＢｌｕｅｔｏｏｔｈ無線ユニット２０から携帯型通話機本体１に送信され、携帯型通話機本体１はＢｌｕｅｔｏｏｔｈ無線ユニット１６を介してＰＴＴ信号を受け、送受信切換処理部１３ａが送受信切換スイッチ１１の送受信切換えを行う。この状態で操作者がスピーカ・マイク端末３から話しかけると、ＰＴＴリモコン装置２の第１の音声処理部２２ｂが、第２の音声処理部２２ｃでスピーカ・マイク端末３から受けた音声データを携帯型通話機本体１に送信し、音声処理部１３ｂが無線通信回路１２に出力した音声が送信側に切り換わっている送受信切換スイッチ１１からアンテナ１０より送信される。
【００２９】
ＰＴＴボタン２１を離した状態では、送受信切換スイッチ１１が受信状態に維持されており、受信のみ可能な状態となっている。他の通話機から音声を受信すると、音声処理部１３ｂは当該音声データをＢｌｕｅｔｏｏｔｈ無線ユニット１６を介してＰＴＴリモコン装置２に送信し、ＰＴＴリモコン装置２の第１の音声処理部２２ｂがこれを受信し、第２の音声処理部２２ｃによりスピーカ・マイク端末３に向けて当該音声データを送信し、操作者はスピーカ・マイク端末３から音声を聞くことができる。
【００３０】
このようにＰＴＴリモコン装置２の第１、第２の音声処理部２２ｂ、２２ｃは、携帯型通話機本体１とスピーカ・マイク端末３の間の音声データのやりとりを中継する機能を有しており、中継する音声データを一時記憶するメモリを備えることも好ましい。また、特に第１の音声処理部２２ｂは携帯型通話機本体１の送受信切換え状況にかかわらず、常に音声を送受信しているが、ＰＴＴボタン２１が押されて携帯型通話機本体１にＰＴＴ信号が送信されるときのみ、音声データを送信するように構成してもよい。
【００３１】
ＰＴＴリモコン装置２は、落とさずに且つ操作しやすいようにスピーカ・マイク端末３を装着している操作者の体に取り付けるための取付手段２３が備えられることが好ましく、本例では首掛け用の紐２４が設けられているが、その他、指や腕、肩などに装着するためのバンド、衣服に取り付けるピンなどを設けることも好ましい。
【００３２】
スピーカ・マイク端末３は、図４に示すように、ＰＴＴリモコン装置２との間で接続可能なＢｌｕｅｔｏｏｔｈ無線ユニット３０、マイク３１、スピーカ３２、ＰＴＴリモコン装置２よりＢｌｕｅｔｏｏｔｈ無線ユニット３０を介して受信した音声信号をスピーカ３２に出力し、マイク３１より受信した音声信号をＢｌｕｅｔｏｏｔｈ無線ユニット３０からＰＴＴリモコン装置２に対して送信する音声処理部３３ａを有する制御部３３を備えている。スピーカ・マイク端末３のＢｌｕｅｔｏｏｔｈ無線ユニット３０とＰＴＴリモコン装置２のＢｌｕｅｔｏｏｔｈ無線ユニット２０とは使用前に予めプロファイルによりペアリングされる。
【００３３】
なお、ｂｌｕｅｔｏｏｔｈ無線ユニット３０や制御部３３を省略し、マイク３１及びスピーカ３２を直接、ケーブルでＰＴＴリモコン装置２に接続するように構成してもよい。この場合、ＰＴＴリモコン装置２とスピーカ・マイク端末３はケーブルを介して有線接続されることとなるが、少なくともＰＴＴリモコン装置２と携帯型通話機本体１との間はケーブルレスとなるため、ＰＴＴリモコン装置２の取り付け箇所を工夫すればケーブルが邪魔になったり断線することを容易に防止することができるのである。
【００３４】
本実施形態では、ＰＴＴリモコン装置２に第１の音声処理部２２ｂと第２の音声処理部２２ｃを備えさせ、ＰＴＴリモコン装置２を音声データの中継器として機能させているが、通話に関する音声データについては、後述する第２実施形態における複信式の通話の場合と同様、スピーカ・マイク端末３と携帯型通話機本体１との間で直接、音声データを送受信するように構成することも可能である。
【００３５】
次に、図６〜８に基づき本発明の第２実施形態を説明する。
【００３６】
本実施形態は、携帯型通話機本体１が、単信式の通話機能と複信式の通話機能を兼ね備えた携帯電話であり、ＰＴＴリモコン装置２に、図８に示すように、携帯型通話機本体１の通話方式を単信式から複信式へ切り換えるための方式切り換え信号を出力する通話スイッチ２５と、該方式切り換え信号を前記近距離無線通信ユニットより携帯型通話機本体に送信する方式切り換え信号送信処理部２２ｄとを更に備えたものである。これにより操作者は双方の通話機能を切り換えて使用することができる。
【００３７】
本例では、ＰＴＴボタン２１が前記通話スイッチ２５を兼ねており、複信式の通話の着信音が携帯型通話機本体１からスピーカ・マイク端末３へＰＴＴリモコン装置２を中継して送信されている状態において操作者がＰＴＴボタン２１を押すことで通話スイッチ２５がオンされ、制御部２２の方式切り換え信号送信処理部２２ｄにより方式切り換え信号がＢｌｕｅｔｏｏｔｈ無線ユニット２０を介して携帯型通話機本体１に向けて発信される。勿論、ＰＴＴボタン２１とは別に通話スイッチ２５を設けることもできる。
【００３８】
携帯型通話機本体１には、図７に示すように、本体側の通話スイッチ１８と、制御部１３には通話方式切換え処理部１３ｃが設けられ、通話方式切換え処理部１３ｃは、上記ＰＴＴリモコン装置２より方式切り換え信号を受信することで通話方式を単信式から複信式へ切り換え、音声処理部１３ｂ及びスピーカ・マイク端末３側の音声処理部３３ａは、その後の通話について、図６の左側の矢印で示すように、ＰＴＴリモコン装置２を介さず、Ｂｌｕｅｔｏｏｔｈ無線ユニット１６、３０により直接、スピーカ・マイク端末３との間で音声データを送受信して通話が行われる。Ｂｌｕｅｔｏｏｔｈ無線ユニット１６、３０間は、使用前に予めハンズフリープロファイルによりペアリングされる。
【００３９】
なお、複信式の通話の着信音が携帯型通話機本体１からスピーカ・マイク端末３へ直接送信され、その状態で、操作者がＰＴＴボタン２１（通話スイッチ２５）を押すことでＰＴＴ信号が送信されるが、これを携帯型通話機本体１の通話方式切換え処理部１３ｃが方式切換え信号とみなして通話方式を単信式から複信式へ切り換えるように構成してもよい。この場合、ＰＴＴボタン２１が通話スイッチ２５を兼ねるとともにＰＴＴ信号が方式切換え信号を兼ねることとなる。
【００４０】
ＰＴＴリモコン装置２は、把持し易いように縦長の略楕円形に構成され、左右側部には手指にフィットするように把持用の凹凸部が設けられている。第１実施形態においても、このような形状に構成すれば、より把持しやすくなる点で好ましいことは云うまでもない。
【００４１】
以上、本発明の実施形態について説明したが、本発明はこうした実施例に何ら限定されるものではなく、本発明の要旨を逸脱しない範囲において種々なる形態で実施し得ることは勿論である。
【図面の簡単な説明】
【００４２】
【図１】本発明の第１実施形態に係るハンズフリー通話システムの全体構成の概略を示す説明図。
【図２】同じくハンズフリー通話システムの携帯型通話機本体の構成を示すブロック図。
【図３】同じくＰＴＴリモコン装置の構成を示すブロック図。
【図４】同じくスピーカ・マイク端末の構成を示すブロック図。
【図５】同じくハンズフリー通話システムの使用状態を示す説明図。
【図６】本発明の第２実施形態に係るハンズフリー通話システムの全体構成の概略を示す説明図。
【図７】同じくハンズフリー通話システムの携帯型通話機本体の構成を示すブロック図。
【図８】同じくＰＴＴリモコン装置の構成を示すブロック図。
【符号の説明】
【００４３】
Ｓ  ハンズフリー通話システム
１、１Ａ  携帯型通話機本体
２  リモコン装置
３  スピーカ・マイク端末
１０  アンテナ
１１  送受信切換スイッチ
１２  無線通信回路
１３  制御部
１３ａ  送受信切換処理部
１３ｂ  音声処理部
１３ｃ  通話方式切換え処理部
１４  ＰＴＴボタン
１５  スピーカ／マイク
１６  Ｂｌｕｅｔｏｏｔｈ無線ユニット
１７  Ｂｌｕｅｔｏｏｔｈアダプタ
１８  通話スイッチ
２０  Ｂｌｕｅｔｏｏｔｈ無線ユニット
２１  ＰＴＴボタン
２２  制御部
２２ａ  ＰＴＴ信号送信処理部
２２ｂ  第１の音声処理部
２２ｃ  第２の音声処理部
２２ｄ  方式切り換え信号送信処理部
２３  取付手段
２４  紐
２５  通話スイッチ
３０  Ｂｌｕｅｔｏｏｔｈ無線ユニット
３１  マイク
３２  スピーカ
３３  制御部
３３ａ  音声処理部
【図１】
0005024035.tif 000002
【図２】
0005024035.tif 000003
【図３】
0005024035.tif 000004
【図４】
0005024035.tif 000005
【図５】
0005024035.tif 000006
【図６】
0005024035.tif 000007
【図７】
0005024035.tif 000008
【図８】
0005024035.tif 000009